(57)【要約】  【課題】凝縮器を冷蔵庫本体の天面に配設したときの上部に荷物を置くことによるほう熱能力低下を防ぐ。  【解決手段】断熱箱体１０１天面に凝縮器１１２と、ファン１１３、カバー１１４を備え、カバー１１４の前面に通風用開口部である前面開口部１１７を設け、断熱箱体１０１前方より使用者が目視できない断熱箱体の前端面よりも後方にカバー前面を配置することによって、カバー天面に荷物を置くことによる放熱量低下を防ぐことができる。【選択図】図１
2007017022.tif 000002
【特許請求の範囲】
【請求項１】
断熱箱体の天面に凝縮器と、ファンと、前記凝縮器をおおうカバーとを備え、前記カバーの前面側に前記ファンの運転によって形成される風路の上流となる通風用開口部を設け、前記カバーの前端部を前記断熱箱体の前端面より後方で、かつ日本の平均的な身長の成人女性が前方より目視不可能な位置に配設した冷蔵庫。
【請求項２】
前記通風用開口部の上部で前記カバーより低い位置につばを設けた請求項１に記載の冷蔵庫。
【請求項３】
断熱箱体の天面に凝縮器と、ファンと、前記凝縮器をおおうカバーとを備え、前記ファンの運転によって形成される風路の上流となる吸入用開口部を前記カバーの側面のみに設けた冷蔵庫。
【請求項４】
断熱箱体の天面に凝縮器と、ファンと、前記凝縮器をおおうカバーとを備え、前記カバーの背面側に前記ファンの運転によって形成される風路の上流となる背面開口部を設けるとともに、前記カバーの前面側に前記風路の下流側となる前面開口部を設け、前記前面開口部の前方に風の流れを制御するガイダーを設けた冷蔵庫。
【発明の詳細な説明】
【技術分野】
【０００１】
本発明は上部配設の凝縮器に配設した冷蔵庫に関するものである。
【背景技術】
【０００２】
従来、この種の冷蔵庫は、天面に凝縮器を配設し、上部よりカバーにて覆っており、カバー高さが冷蔵室扉、もしくはヒンジ装置の高さ以下になるよう凝縮器ならびにカバーを配設している。冷蔵庫本体上部に凝縮器を配設することで機械室の熱の放出に寄与し、さらに前記凝縮器を冷蔵室扉、もしくはヒンジ装置以下の高さに設置することによって上部に凝縮器を配設することによる冷蔵庫の高さ増大を防止することが可能となる（例えば、特許文献１参照）。
【０００３】
また、カバー前面に開口部を設け、カバー前端部を冷蔵庫のフランジ面上に設けているものある（例えば、特許文献２参照）。
【０００４】
図４は、特許文献１に記載された従来の冷蔵庫の構成を示すものである。
【０００５】
図４において冷蔵庫は、圧縮機１１を冷蔵庫下部背面に配設し、凝縮器のうち除霜水蒸発用凝縮器１４は冷蔵庫本体の下部の機械室内に、主凝縮器１２は冷蔵庫本体の上部にて下面に巡らせた冷媒パイプを金属製の平板状の放熱カバー１３で覆う構成となっており、冷蔵庫本体よりも上方へ突出する冷蔵室扉５よりも上方へ放熱カバーが突出しないように配置されている。また放熱カバー１３にはその天面に放熱孔が形成され、冷蔵庫本体の上部に熱がこもらないように放熱カバー１３内の空気流通を促進する。
【０００６】
図５は、特許文献２に記載された従来の冷蔵庫の構成を示すものである。図より、冷蔵庫２０の天面は前方が低くなるよう一定勾配をつけており、天面上に凝縮器２１を配設し、上部よりカバー２２で覆い、カバー前面に吸入用開口部２３を、後方に吐出用開口部２４を設けて通風させることによって放熱させている。
【特許文献１】特開２００１−２８０８０４号公報
【特許文献２】特開昭５８−１６８８７０号公報
【発明の開示】
【発明が解決しようとする課題】
【０００７】
しかしながら、上記従来の特許文献１に記載の構成では、天面に放熱孔が形成されているために、埃が放熱カバー１３内の凝縮器１２に直接堆積することによって放熱能力が低下すること、また放熱カバー１３の天面に荷物等を置くことによる放熱孔の閉塞によって放熱が阻害され、放熱能力が低下することが懸念される。
【０００８】
さらに特許文献２に記載の構成だと、カバーの前端部が冷蔵庫のフランジ面に配置されているので開口部に埃が付着した際に、使用者から目視できること、また扉開閉時の風圧にて埃が飛散、もしくは庫内や冷蔵庫前方へと落下するといった課題がある。
【０００９】
本発明は、上記従来の課題を解決するもので、凝縮器を天面に配設する冷蔵庫においてカバー天面に荷物を置くといった周囲条件に関わらず安定した放熱能力を確保することを目的とする。
【課題を解決するための手段】
【００１０】
上記従来の課題を解決するために、本発明の冷蔵庫は断熱箱体の天面に凝縮器と、ファンと、前記凝縮器をおおうカバーとを備え、前記カバーの前面側に前記ファンの運転によって形成される風路の上流となる通風用開口部を設け、前記カバーの前端部を前記断熱箱体の前端面より後方で、かつ平均的な身長の成人女性が前方より目視不可能な位置に配設したものである。
【００１１】
また、本発明の冷蔵庫は、断熱箱体の天面に凝縮器と、ファンと、前記凝縮器をおおうカバーとを備え、前記ファンの運転によって形成される風路の上流となる吸入用開口部を前記カバーの側面のみに設けたものである。
【００１２】
また、本発明の冷蔵庫は、断熱箱体の天面に凝縮器と、ファンと、前記凝縮器をおおうカバーとを備え、前記カバーの背面側に前記ファンの運転によって形成される風路の上流となる背面開口部を設けるとともに、前記カバーの前面側に前記風路の下流側となる前面開口部を設け、前記前面開口部の前方に風の流れを制御するガイダーを設けたものである。
【００１３】
これによって、カバー天面に開口部を設けていないので天面に荷物を置いた際でも放熱能力に変化がなく安定した放熱能力を確保することができる。
【発明の効果】
【００１４】
本発明の冷蔵庫は、カバー天面に荷物を置いた場合でも安定した放熱能力を確保できるので、冷蔵庫の設置条件による冷蔵庫の消費電力の上昇を防止することができるとともに、凝縮器の放熱を確保することにより熱のこもりを防止し、冷蔵庫の信頼性を向上させることができる。
【発明を実施するための最良の形態】
【００１５】
請求項１に記載の発明は、断熱箱体の天面に凝縮器と、ファンと、前記凝縮器をおおうカバーとを備え、前記カバーの前面側に前記ファンの運転によって形成される風路の上流となる通風用開口部を設け、前記カバーの前端部を前記断熱箱体の前端面より後方で、かつ平均的な身長の成人女性が前方より目視不可能な位置に配設したことによって、まずカバー前方からの空間が広がり、開口部近傍での圧力損失に伴う風量低下を防ぐことができる。また、カバー天面に開口部を設けていないので天面に荷物を置いた際でも放熱能力に変化がない。また、開口部に埃が付着した際に、前方より埃が目視不可能であるので清潔感に優れ、また埃の飛散、庫内や冷蔵庫前方への落下を防ぐことが可能となる。
【００１６】
請求項２に記載の発明は、前記通風用開口部の上部で前記カバーより低い位置につばを設けたものであり、これによって、前記カバー前方の断熱箱体天面上に荷物を置いた場合でも開口部前方の空間を確保することができ、開口部閉塞による風量低下を防止することが可能となる。
【００１７】
請求項３に記載の発明は、断熱箱体の天面に凝縮器と、ファンと、前記凝縮器をおおうカバーとを備え、前記ファンの運転によって形成される風路の上流となる吸入用開口部を前記カバーの側面のみに設けたものであり、これによって開口部に埃が付着した際に扉の開閉によって埃が冷蔵庫の前面側に飛散、落下することもなく、また、前面に開口部を設けていないのでカバー前端部を冷蔵庫のフランジ面上に配設することができるので、カバーサイズをより大きくすることが可能となり、カバー内に配設する凝縮器長を長くすることができることから放熱能力の増大につながる。
【００１８】
請求項４に記載の発明は、断熱箱体の天面に凝縮器と、ファンと、前記凝縮器をおおうカバーとを備え、前記カバーの背面側に前記ファンの運転によって形成される風路の上流となる背面開口部を設けるとともに、前記カバーの前面側に前記風路の下流側となる前面開口部を設け、前記前面開口部の前方に風の流れを制御するガイダーを設けたものであり、これによってまず吐出用の開口部とすることで開口部へと埃が付着しなくなる。さらにガイダーを設けて吐出空気が冷蔵庫の前方に流れないようにすることで使用者に風の流れを感じさせず、不快感を防止することが可能となる。
【００１９】
（実施の形態１）
図１は本発明の実施の形態１における冷蔵庫の概略断面図を示す。
【００２０】
図１において、断熱箱体１０１は内箱１０２と外箱１０３とで形成された空間に発泡断熱体を注入して断熱壁を備えている。内箱１０２はＡＢＳなどの樹脂材料で真空成型されており、外箱１０３は鋼板よりなる。断熱壁は例えば硬質ウレタンフォームやスチレンフォームなどが用いられている。また、外部からの侵入熱量削減のために断熱壁の内部に真空断熱材などの高性能断熱材が埋設されていることもある。
【００２１】
断熱箱体は比較的高温である冷蔵室１０４を上部に、低温である冷凍室１０６を下部に配し、冷蔵室と冷凍室との間に野菜室１０５を配している。
【００２２】
冷蔵室１０４は回転式の冷蔵室扉１０７によって閉塞され、そのフランジ面１１０と冷蔵室扉１０７の間にガスケットを介することによって、密閉性を高めている。冷蔵室扉１０７には収納のための複数のポケットが設けられ、冷蔵室１０４内は複数段に分かれている。また冷蔵室１０４は冷蔵保存のため通常１〜５℃で設定されているが、保鮮性向上のため若干低めの温度、例えば−３〜０℃で設定されていることもあり、収納物によって使用者が自由に上記のような温度設定を切り替えることを可能としている場合もある。また、ワインや根野菜等の保鮮のために、例えば１０℃前後の若干高めの温度設定とする場合もある。
【００２３】
冷凍室１０６は冷凍室内に設けた左右のレールに対してそれぞれ前後方向へ引出し可能にした支持容器とともに前方へ引き出される引出し扉にて閉塞されている。また冷凍室１０６は食品を冷凍保存するために通常−２２〜−１８℃で設定されているが、保鮮性向上のためより低温の温度、例えば−３０〜−２５℃で設定されていることもある。
【００２４】
野菜室１０５も冷凍室１０６同様、野菜室１０５内に設けた左右のレールに対してそれぞれ前後方向へ引出し可能にした支持容器とともに前方へ引き出される引出し扉にて開閉される。
【００２５】
冷凍室１０６、野菜室１０５も冷蔵室１０４同様、それぞれのフランジ面と扉との間にガスケットを設け、密閉性を高める構造としている。
【００２６】
冷凍サイクルは圧縮機１１１、凝縮器１１２、減圧用のキャピラリ（図示せず）、蒸発器１１６を環状に接続して構成されている。
【００２７】
圧縮機１１１は断熱箱体下部に設けられた機械室内にて防振のために弾性支持されて固定されている。また、圧縮機１１１は例えばインバーターによる回転数制御で冷媒循環量を制御し冷凍能力を変化させることができる能力可変型としてある場合もある。
【００２８】
凝縮器１１０を断熱箱体１０１の天面上に配置し、ファン１１３を凝縮器１１２の前方もしくは後方に配置し、それらを上部よりカバー１１４で覆い、風路を構成している。
【００２９】
凝縮器１１２は例えばスパイラルフィンチューブ式のものが使用されており、断熱箱体天面とカバー天面との間の空間にて断熱箱体天面から浮いた状態で固定されている。
【００３０】
ファン１１３は例えば軸流ファンのものを使用し、省スペース化のために斜めに傾けて固定されていることもある。また、ファン１１３は圧縮機１１１の回転数や凝縮器１１２での放熱能力などに応じて回転数を変化させている場合もある。
【００３１】
カバー１１４はＡＢＳなどの樹脂製で前方側面に通風用開口部であるの前面開口部１１７を設けており、前方より少なくとも日本人の平均的な身長（１５７．９ｃｍ：２００２年、外務省国勢情報）の成人女性が目視不可能な位置までカバー前端部が断熱箱体のフランジ面よりも後方に配設されており、その前面開口部１１７の上部につば１１８を設けている。また、カバー１１４の背面側には通風用開口部である背面開口部１１７ａが設けられている。
【００３２】
カバー前方の断熱箱体天面上には風の流れを制御するためのガイダー１１９を設けている。
【００３３】
以上のように構成された冷蔵庫について、以下その動作、作用を説明する。
【００３４】
まず、冷凍サイクルの動作について説明する。圧縮機１１１の動作により吐出された冷媒は凝縮器１１２で放熱して液化し、キャピラリ（図示せず）で減圧されて低温低圧の冷媒となり蒸発器１１６に至り、蒸発器内で庫内の空気と熱交換を行い、冷媒は蒸発気化する。熱交換を行い、冷却された空気がダクト（図示せず）を通じて各室へと分配され、庫内の冷却を行う。蒸発器１１６を出た冷媒は圧縮機１１１へと吸込まれていく。このようにサイクル運転を行うことで庫内が冷却される。
【００３５】
続いて圧縮機運転時の凝縮器１１２における熱交換について説明する。圧縮機１１１の運転に伴い、天面上のファン１１３も運転を開始する。これにより庫外の空気は、冷蔵庫上部を覆うカバー１１４の前面開口部１１７を通過して凝縮器１１２との熱交換を行い、背面開口部１１７ａを通じて庫外へと流出する。
【００３６】
このときにカバー１１４の天面に開口部を設けていないので、上部より凝縮器１１２へと埃が付着することがなく、凝縮器１１２への埃堆積による放熱能力低下を防止でき、また、カバー１１４天面に荷物を置くことによって放熱孔が閉塞されることによる放熱能力低下も防止できる。
【００３７】
また、カバー１１４前面が目視不可能な位置に配置されていることで通風用の前面開口部１１７付近に埃が付着した際に前方より使用者が確認できないので清潔感に優れる。また冷蔵室扉１０７開閉時に風圧による埃の飛散や、庫内・冷蔵庫前方への落下を防ぐことが出来る。
【００３８】
さらに、カバー１１４の前面開口部１１７の上部につば１１８を設けることで、カバー前方の断熱箱体天面に荷物を置いた場合でも前面開口部１１７前方に空間を確保することができ、風量低下を防止することができる。
【００３９】
なお、凝縮器１１２はスパイラルフィンチューブタイプを使用としたが、ワイヤーコンデンサやプレートタイプのものを使用することで凝縮器１１２の厚みをパイプ径とほぼ同一にすることができ、さらなる薄型化が可能となり、庫内容積の拡大が図れる。
【００４０】
なお、ファン１１３は軸流ファンを使用としたが例えばクロスフローファンを使用することで高さを抑えることができ、薄型化による庫内容積の拡大が図れる。
【００４１】
なお、前面開口部１１７より空気を吸入するとしたが前面開口部１１７を吐出用の開口部として用いることで開口部への埃付着がなくなるのでカバー前端部を断熱箱体フランジ面上に配置でき、カバーサイズを大きくすることができるので、凝縮器長を長くすることが可能となり、放熱能力を向上させることができる。
【００４２】
（実施の形態２）
図２は本発明の実施の形態２における冷蔵庫上部の概略断面図である。図２において凝縮器２０２は、断熱箱体２０１の天面上に配置され、その前方、もしくは後方に通風用のファン２０３を設けている。前期凝縮器２０２、ファン２０３を上部よりカバー２０４で覆い、カバー２０４はその側面のみに通風用開口部２０５を設けている。また、カバー２０４は側面が断熱箱体２０１の側面上よりも内側に配置されている場合もある。
【００４３】
カバーの側面のみに前記開口部を設けることによって、まず天面に開口部がないことから埃の堆積や上部に荷物を置くことによる放熱量低下を防止できる。さらに前面に開口部を設けていないことから開口部に埃が付着した際に前方より目視されなく、カバー前端部を断熱箱体のフランジ面上に配置できるのでカバーのサイズをより大きくすることができ、カバー内に配設する凝縮器長を長くすることができるので放熱能力を増大させることが可能となる。また、カバー側面を断熱箱体の側面上よりも内側に配置することで例えば側面を壁などに密着させた場合でも通風用の空間を確保することができ、放熱能力の低下を防ぐことが可能となる。
【００４４】
（実施の形態３）
図３は本発明の実施の形態３における冷蔵庫上部の斜視図である。図３において断熱箱体３０１は天面部の奥に凹部を設けており、断熱箱体を形成する第一の天面３０３と第一の天面３０３よりも低い位置に配置された第二の天面３０４とで構成され、凝縮器３０７を第一の天面３０３上に、圧縮機３０５は第二の天面３０４上に防振のために弾性支持されている。またファン３０６は圧縮機３０５の側方に圧縮機３０５から発生する熱の凝縮器３０７への伝播を防止するために、空気の流れが凝縮器３０７から圧縮機３０５へと流れるように配設されている。カバー３０８は凝縮器３０７、圧縮機３０５、ファン３０６を上部より覆うように配設され、前面に通風用開口部のうちファン３０６の運転によって形成される風路の上流側である吸入開口部を設け、カバー後方に通風用開口部のうちファン３０６の運転によって形成される風路の下流側に位置する排気開口部３０９を設けている。また、カバーは背面と天面、もしくは第一の天面部と第二の天面とで分割して使用することができ、作業性の向上を図っている場合もある。
【００４５】
断熱箱体３０１上部に凹部を設けることによって、カバー３０８天面から第二の天面３０４までの距離が長くなり、より大きなファンを搭載することができ、例えば通風用開口部へ埃が付着した場合でも大きな風量を確保でき、放熱能力の低下を防止することができる。
【００４６】
また、圧縮機３０５を断熱箱体３０１上部に配設することでひとつのファンによる通風で凝縮器３０７での熱交換ならびに圧縮機３０５の冷却を同時に行うことができ、圧縮機３０５の過熱を防止することが可能となる。さらにファンの数が削減できるのでコストの低減が可能となる。また、下部に圧縮機、ファンといった音源が存在するとその音が断熱箱体底部と床面との間で反射されて前方に響くが上部に設置することで音が断熱箱体上部後方に分散され、冷蔵庫周囲、特に前方における静音化が可能となる。また、高圧機器を手が届きにくく利用頻度が最も低く、実質的に無効スペースとなっていた冷蔵室上部後方に配設することで、利用頻度が高い最下部の冷凍室の奥行きを増大することができ、冷凍室庫内容積の増大を図ることができる。また圧縮機、凝縮器など高温となる機器を下部に配設している場合と比較してこれらの機器と庫内との温度差が低くなるので庫内への侵入熱量が低減し、効率向上につなげることができる。また、下部より圧縮機、ファンを配置する機械室を排除したことで冷凍室周辺の構造が単純となり、断熱壁を冷凍室下部まで配置することができ、さらに真空断熱材などの高性能断熱材の埋設面積を増大することができ、周囲温度と最も温度差の大きい冷凍室への侵入熱量を低減することができ、消費電力の削減につなげることができる。
【産業上の利用可能性】
【００４７】
以上のように本発明にかかる冷蔵庫は、凝縮器を上部に設置した場合においてカバー上部に荷物を置いた場合でも放熱能力を確保することが出来るので家庭用冷蔵庫のみならず、業務用冷蔵庫など凝縮器を上部に設置する機器へと適用可能である。
【図面の簡単な説明】
【００４８】
【図１】本発明の実施の形態１における冷蔵庫の概略断面図
【図２】本発明の実施の形態２における冷蔵庫上部の概略断面図
【図３】本発明の実施の形態３における冷蔵庫上部の斜視図
【図４】従来の冷蔵庫の概略断面図
【図５】従来の冷蔵庫の概略断面図
【符号の説明】
【００４９】
１０１，２０１，３０１  断熱箱体
１１２，２０２，３０７  凝縮器
１１３，２０３，３０６  ファン
１１４，２０４，３０８  カバー
１１７  前面開口部（通風用開口部）
１１７ａ  背面開口部（通風用開口部）
１１８  つば
１１９  ガイダー
２０５  通風用開口部
３０３  第一の天面（天面）
３０９  排気開口部（通風用開口部）
【図１】
2007017022.tif 000003
【図２】
2007017022.tif 000004
【図３】
2007017022.tif 000005
【図４】
2007017022.tif 000006
【図５】
2007017022.tif 000007